(57)【要約】 【課題】工作機械の高位置でのパレット交換作業を従来より簡便に行うことができるパレットチェンジャー用安全ガードの提供。【解決手段】互いに連結された複数のパネル部材からなる衝立状の工作機械のパレットチェンジャー用安全ガードであって、パレット交換領域に正対する正面パネル部材の下部パネル領域において、上部パネル領域の開閉扉の下方に形成された開口部を覆う独立した蓋パネルの裏面に設けられた作業用踏み台が、蓋パネルが開口部を覆う状態にて開口部内側に収納されると共に蓋パネルの引き出しに伴って外側に移動可能とした。【選択図】      図１
0003136412.tif 000002
【実用新案登録請求の範囲】
【請求項１】
工作機械の加工物パレット交換領域の周囲を三方から囲むことができるように互いに連結された複数のパネル部材からなる衝立状のパレットチェンジャー用安全ガードであって、
前記パネル部材のうち前記パレット交換領域に正対する正面パネル部材は、上部パネル領域と下部パネル領域とを備え、
前記上部パネル領域には開閉扉が形成されており、
前記下部パネル領域は、前記開閉扉の下方に形成された開口部と、該開口部を覆う前記正面パネル部材から独立した蓋パネルと、該蓋パネルの裏面に設けられた作業用踏み台とを備え、
該作業用踏み台は、前記蓋パネルが前記開口部を覆う状態にて開口部の内側に収納されると共に前記蓋パネルの引き出しに伴って外側に移動可能であることを特徴とするパレットチェンジャー用安全ガード。
【請求項２】
前記作業用踏み台は、左右側面の少なくとも一方に階段を備えていることを特徴とする請求項１に記載のパレットチェンジャー用安全ガード。
【請求項３】
前記複数のパネル部材は、それぞれ下端にキャスタを備えていることを特徴とする請求項１または２に記載のパレットチェンジャー用安全ガード。
【考案の詳細な説明】
【技術分野】
【０００１】
本考案は例えば、金属加工等の工作機械の加工物パレット交換領域を覆うパレットチェンジャー用安全ガードに関するものである。
【背景技術】
【０００２】
従来から、金属加工等を行う工作機械には、加工時に発生する切削屑や切削油等が外部へ飛び散らないように、少なくとも加工領域を覆うカバー体としてスプラッシュガードが設けられている。一方、加工物は、パレット上に載置された状態でパレット単位で工作機械の加工位置へ搬送され、パレットの交換によって加工物が交換される構成が一般的となっている。
【０００３】
工作機械には、このようなパレット交換のための機構、いわゆるパレットチェンジャーが設けられており、パレット交換領域も前記スプラッシュガードや専用の安全ガードによって覆われている。このようなパレットチェンジャー用安全ガードやスプラッシュガードには、作業者によるパレット交換作業の際にパレット交換領域にアクセスするための開閉扉が設けられている（例えば、特許文献１参照。）。
【０００４】
安全ガードには、互いに連結された複数枚のパネル部材からなる移動可能な衝立状のものがある。このような安全ガードでは、パレット交換領域に対向する正面パネルに開閉扉が形成されている。
【０００５】
【特許文献１】特開２００１−２０５５４１号公報
【考案の開示】
【考案が解決しようとする課題】
【０００６】
しかしながら、パレット交換領域は、工作機械の加工領域に対して上方位置に離れていることが多く、その場合、作業者はそのままでは作業位置が高すぎて操作が困難となるため、踏み台が必要であった。
【０００７】
このようにパレット交換領域が高い位置にある場合、開閉扉もガードの上方位置に設けられることになる。そこで、作業者は、交換作業の度に踏み台を運んで開閉扉の下方手前位置に載置し、作業終了後の撤収するという煩雑な手間をかけていた。
【０００８】
本考案の目的は、上記問題点に鑑み、高位置にある工作機械のパレット交換領域での作業を従来より簡便に行うことができるパレットチェンジャー用安全ガードを提供することにある。
【課題を解決するための手段】
【０００９】
上記目的を達成するため、請求項１に記載の考案に係るパレットチェンジャー用安全ガードは、工作機械の加工物パレット交換領域の周囲を三方から囲むことができるように互いに連結された複数のパネル部材からなる衝立状のパレットチェンジャー用安全ガードであって、前記パネル部材のうち前記パレット交換領域に正対する正面パネル部材は、上部パネル領域と下部パネル領域とを備え、前記上部パネル領域には開閉扉が形成されており、前記下部パネル領域は、前記開閉扉の下方に形成された開口部と、該開口部を覆う前記正面パネル部材から独立した蓋パネルと、該蓋パネルの裏面に設けられた作業用踏み台とを備え、該作業用踏み台は、前記蓋パネルが前記開口部を覆う状態にて開口部の内側に収納されると共に前記蓋パネルの引き出しに伴って外側に移動可能であることを特徴とするものである。
【００１０】
また、請求項２に記載の考案に係るパレットチェンジャー用安全ガードは、請求項１に記載のパレットチェンジャー用安全ガードにおいて、前記作業用踏み台が、左右側面の少なくとも一方に階段を備えているものである。
【００１１】
さらに、請求項３に記載の考案に係るパレットチェンジャー用安全ガードは、請求項１または２に記載のパレットチェンジャー用安全ガードにおいて、前記複数のパネル部材が、それぞれ下端にキャスタを備えているものである。
【考案の効果】
【００１２】
本考案は、工作機械の加工物パレット交換領域の周囲を三方から囲むことができるように互いに連結された複数のパネル部材からなる衝立状のパレットチェンジャー用安全ガードであり、パレット交換領域に正対する正面パネル部材の上部パネル領域には開閉扉を形成し、下部パネル領域には開閉扉の下方に開口部を形成してこの開口部を覆う正面パネル部材から独立した蓋パネルの裏面に作業用踏み台を備えたものであり、この作業用踏み台は、蓋パネルが開口部を覆う状態にて開口部の内側に収納され、蓋パネルの引き出しに伴って外側に移動可能であるため、パレット交換作業の度に必要な踏み台の設置が蓋パネルを引き出すだけで済み、また作業後も蓋パネルを押し戻すだけで簡単に収納でき、従来に比べて作業者の負担を大幅を低減することができるという効果がある。
【考案を実施するための最良の形態】
【００１３】
本考案によるパレットチェンジャー用安全ガードは、工作機械の加工物パレット交換領域の周囲を三方から囲むことができるように互いに連結された複数のパネル部材からなる衝立状のカバーであり、パレット交換領域に正対する正面パネル部材を上部パネル領域と下部パネル領域とを備えたものとし、上部パネル領域には開閉扉を形成し、下部パネル領域には、前記開閉扉の下方に開口部を形成し、正面パネル部材から独立した蓋パネルでこの開口部を覆うものであるが、蓋パネルの裏面に作業用踏み台を備えたものである。
【００１４】
そして、この蓋パネルが前記開口部を覆う状態にとした際には開口部の内側に作業用踏み台が収納され、また蓋パネルを引き出せば、それに伴って作業台踏み台が外側に移動可能としたものであるため、パレット交換作業を始める際には、上部パネル領域の開閉扉を開けると共に、下部パネル領域から蓋パネルを引き出すだけで、作業用踏み台を扉の手前に設置することができ、また作業完了後には扉を閉めて蓋パネルを開口部内に押し戻すだけで作業用踏み台を正面パネル部材の内側に収納することができる。
【００１５】
このような構成を備えた本考案のパレットチェンジャー用安全ガードによれば、従来のように、別個の踏み台を用意しておき、パレット交換作業の度に踏み台を扉下方まで運び、作業終了後には別の収納場所に撤収するという煩雑な手間を掛ける必要がなくなり、その分、作業時間の短縮化や作業者の負担軽減を図ることができる。
【００１６】
なお、作業用踏み台は、出し入れを容易にするため、底部にキャスタを取り付けておけばよい。また、作業用踏み台に登り易くするために、踏み台の左右側面の少なくとも一方に階段を設けておくのが好ましい。また蓋パネルに把持部を設けておけばさらに出し入れが容易となる。
【００１７】
また、パレットチェンジャー用安全ガードは、運転中の工作機械に対して設置すればよいため、工作機械毎に固定する必要はなく、必要な時点で運転しようとする工作機械に対して設置し、それ以外の場合は撤収できるように、移動可能なものが望ましい。そこで、各パネル部材の可鍛にキャスタを設けておけば、設置、撤収のための移動が容易となる。  
【実施例】
【００１８】
本考案の一実施例によるパレットチェンジャー用安全ガードを図１、２に示す。図１は作業用踏み台を引き出した状態のパレットチェンジャー用安全ガードを示し概略構成図であり、（ａ）は、工作機械のパレット交換領域を三方から囲むように配置されたパレットチェンジャー用安全ガード斜視図、（ｂ）は本安全ガードの概略側面図である。図２は、作業用踏み台を収納した状態のパレットチェンジャー用安全ガードを示し概略構成図であり、（ａ）は、工作機械のパレット交換領域を三方から囲むように配置されたパレットチェンジャー用安全ガード斜視図、（ｂ）は本安全ガードの概略側面図である。
【００１９】
本実施例によるパレットチェンジャー用安全ガード１は、主に正面パネル部材２と左右側面パネル部材（３，４）とが互いに断面略コノ字状に連結された衝立状のものであり、正面パネル部材が工作機械１００のパネル交換領域に正対する位置となるように該領域を三方から囲んで設置されている。
【００２０】
正面パネル部材２の上部パネル領域の中央部には、スライド式の開閉扉５が設けられており、また正面パネル部材２の下部パネル領域の開閉扉５の下方には、開口部６が踏み台収納部として形成されている。
【００２１】
この開口部６を覆う蓋パネル７は、正面パネル部材２から独立したものであり、その裏面に作業用踏み台８を備えており、踏み台８の左右両側面には階段９が形成されている。この階段９付きの作業用踏み台８は、開口部６に対して出し入れ容易な寸法で形成されており、蓋パネル７が開口部６を覆って正面パネル部材２とほぼ同一平面内に収まった状態において、開口部６の内側に収納されるものである。
【００２２】
また踏み台８の底部には、複数個のキャスタ１１を取り付けて移動を容易にしており、蓋パネル７の表面に形成された把持部１０を掴んで正面パネル部材２の手前側に引っ張るだけで踏み台８を簡単に引き出して、開閉扉５の下方前側に踏み台８を設置することができる。
【００２３】
従って、本実施例のパレットチェンジャー用安全ガード１においては、パレット交換作業を始める際に、開閉扉５を開けてパレット交換領域にアクセス可能にすると共に、下方の蓋パネル７を引き出すだけで作業用踏み台８を開閉扉５が開いた開口の手前に設置できてるため、直ちに高い位置でのパレット交換作業を行うことができ、また作業完了後には蓋パネル７を開口部６へ押し戻すだけで作業用踏み台８を正面パネル部材２の内側に収納することができる。従って、別個に用意しておいた踏み台をパレット交換作業の度に開閉扉５の下方まで運んで作業終了後には別の収納場所に運んで戻すという従来掛かっていた煩雑な手間が必要なくなる。
【００２４】
また、本実施例における安全ガード１は、各パネル部材（２，３，４）の下端にキャスタ１２を取り付け、移動可能とした。これにより、特定の工作機械のみに対するものとしてではなく、適宜必要な時に必要な工作機械に対してそのパレット交換領域を囲むように簡単に設置し、さらに撤収することもできる。
【００２５】
なお、以上の実施例においては、３枚のパネル部材２を断面略コノ字状に連結したものを示したが、本考案はこれに限らず、踏み台の引き出し、収納空間を充分確保しつつ、パレット交換領域を良好に囲うことができるものであれば、４枚以上のパネル部材で断面多角形状に連結されたものであってもよい。
【図面の簡単な説明】
【００２６】
【図１】本発明の一実施例によるパレットチェンジャー用安全ガードの概略構成図であり、（ａ）は工作機械のパレット交換領域を囲んだ設置状態における踏み台引き出し状態の斜視図、（ｂ）は踏み台引き出し状態の側面図である。
【図２】図１に示したパレットチェンジャー用安全ガードの踏み台収納状態を示す概略構成図であり、（ａ）は斜視図、（ｂ）は側面図である。
【符号の説明】
【００２７】
１：パレットチェンジャー用安全ガード
２：正面パネル部材
３：左パネル部材
４：右パネル部材
５：開閉扉
６：開口部
７：蓋パネル
８：作業用踏み台
９：階段
１０：把持部
１１，１２：キャスタ
１００：工作機械
１０１：パレットチェンジャー
【図１】
0003136412.tif 000003
【図２】
0003136412.tif 000004